(57)【要約】【課題】弾球遊技機の板ガラスに透明表示器を装着する際の問題を解消する。【解決手段】ＥＬディスプレイ１０の片側全面を透明な接着剤１５によって板ガラス０４に接着し、ＥＬディスプレイ１０の第１電極１２及び第２電極１６は、板ガラス０４の表面に配設された透明な配線電極２０と電気的に導通させる。また、ＥＬディスプレイ１０の有効表示領域外で配線電極２０が設けられていない部分の全域に透明なダミー電極２１を配設する。ＥＬディスプレイ１０、接着剤１５、配線電極２０及びダミー電極２１は視認性を妨げない。ダミー電極２１を配設することで、板ガラス０４全体の透過率をほぼ均等になり遊技者に違和感を感じさせない。【選択図】  図２
2004236981.tif 000002
【特許請求の範囲】
【請求項１】
遊技盤の前面に配される板ガラスに透明表示器を装着した弾球遊技機において、
前記透明表示器は、その片側全面を透明な接着剤によって前記板ガラスに接着され、
前記透明表示器の取出し電極は、前記板ガラスの表面に配設された透明な配線電極と電気的に導通されている
ことを特徴とする弾球遊技機。
【請求項２】
請求項１記載の弾球遊技機において、
前記取出し電極と前記配線電極とは、前記接着剤に混入された導電粒子によって形成された中継電極を介して導通されていることを特徴とする弾球遊技機。
【請求項３】
請求項１または２記載の弾球遊技機において、
前記板ガラスの表面には、前記取出し電極とは電気的に導通しない透明なダミー電極が配設されていることを特徴とする弾球遊技機。
【請求項４】
請求項３記載の弾球遊技機において、
前記板ガラスの前記透明表示器の有効表示領域に対応する部分には、前記配線電極も前記ダミー電極も配設されていないことを特徴とする弾球遊技機。
【請求項５】
請求項１ないし４のいずれか１項に記載の弾球遊技機において、
前記透明表示器は、前記遊技盤の前面に配される２枚の板ガラスの間に配置されることを特徴とする弾球遊技機。
【請求項６】
請求項１ないし５のいずれか１項に記載の弾球遊技機において、前記透明表示器は透明ＥＬディスプレイであることを特徴とする弾球遊技機。
【発明の詳細な説明】
【０００１】
【発明の属する技術分野】
本発明は、パチンコ機等の弾球遊技機の技術分野に属する。
【０００２】
【従来の技術】
遊技盤の前面に配される板ガラスに表示器を装着した弾球遊技機が知られている。
例えば特開２００１−２４６０９７号公報（特許文献１）には、遊技盤の前面に配された２枚のガラス板の間の中央部分に可変表示器を配設し、奥側のガラス板の表面に貼付された透視ケーブルにて表示用の電気信号を伝送する構成が開示されている。
【０００３】
また、特開２００２−２２４４１２号公報（特許文献２）には、透過型液晶表示装置を一方の板ガラスの表面に貼着し、他方の板ガラスを貫通させた信号線によって表示データ信号を伝達する構成が開示されている。
【０００４】
【特許文献１】
特開２００１−２４６０９７号公報（段落０００９、図１、図２）
【特許文献２】
特開２００２−２２４４１２号公報（段落００３１、図４）
【０００５】
【発明が解決しようとする課題】
しかしながら、上記特許文献１、２とも表示器と板ガラスとの具体的な接着構造は示されていない。
また、特許文献１の技術では透視ケーブルを使用しているが、ガラス板に透視ケーブルを貼付した部分では、透過率が周囲とは違うため透明感が損なわれて視認性の妨げとなる。
【０００６】
一方、特許文献２のように、板ガラスを貫通させて信号線を通すのでは構造が非常に複雑になるとともに、全面が透明とはならず表示器配置位置の自由度がなくなる。更に、板ガラスを貫通させた信号線等が遊技球の流下を妨げたり、流下領域を狭めるという問題もある。
【０００７】
【課題を解決するための手段および発明の効果】
請求項１記載の弾球遊技機は、遊技盤の前面に配される板ガラスに透明表示器を装着した弾球遊技機において、前記透明表示器は、その片側全面を透明な接着剤によって前記板ガラスに接着され、前記透明表示器の取出し電極は、前記板ガラスの表面に配設された透明な配線電極と電気的に導通されている構成を採用したので、透明表示器と板ガラスとが良好に接着され、接着剤も配線電極も視認性を妨げることはない。透明な配線電極は、板ガラス上に例えばＩＴＯをスパッタリングして形成することができる。
【０００８】
取出し電極と配線電極との導通は、請求項２記載の構成、すなわち、前記取出し電極と前記配線電極とは、前記接着剤に混入された導電粒子によって形成された中継電極を介して導通されている構成とすることで容易に、しかも確実に行える。
【０００９】
導電粒子としては、金属微粒子、樹脂粒子に金属をメッキしたもの等を使用できる。
これらのような導電粒子を、各取出し電極と配線電極との接続位置に対応させて接着剤に混入し、その導電粒子が存在する部分を中継電極とするので、板ガラスに透明表示器を接着するだけで取出し電極と配線電極との電気的な導通が確保される。
【００１０】
ところで、例えばＩＴＯの薄膜からなる透明な配線電極でも、透過率を全く低下させないわけではないから、配線電極が配設されている部分と配設されていない部分とでは、わずかながらも透過率が違ってしまう。
そこで、請求項３記載の弾球遊技機は、請求項１または２記載の弾球遊技機において、前記板ガラスの表面には、前記取出し電極とは電気的に導通しない透明なダミー電極が配設されている構成を採用している。
【００１１】
配線電極が配設されていない部分に配線電極と同様にダミー電極を配設することにより、その部分の透過率を配線電極が配設された部分と同等にできる。これにより、配線電極が配設されている部分も配設されていない部分も透過率が同等になるから、遊技者に違和感を感じさせない。
【００１２】
また、透明表示器の有効表示領域にも電極や発光層が存在するので、配線電極と同様に透過率を低下させる。
したがって、請求項４記載のように、請求項３記載の弾球遊技機において、前記板ガラスの前記透明表示器の有効表示領域に対応する部分には、前記配線電極も前記ダミー電極も配設されていない構成として、有効表示領域と透過率を配線電極が配設されている部分の透過率とを近似させればよい。
【００１３】
上記のことから明らかなように、透明表示器の有効表示領域に対応する部分には配線電極もダミー電極も配設せず、有効表示領域外で配線電極が配設されていない部分には、その全域にダミー電極を配設するのが望ましく、これによって板ガラス全域（透明表示器も含む）をほぼ同じ透過率にできる。なお、板ガラスの縁部はガラス枠等に隠れてしまうので、そうした部分にはダミー電極を配設しなくてもよい。
【００１４】
弾球遊技機では、いわゆるゴトに対する耐性を高めるためと防音とを兼ねて遊技盤の前面を２枚の板ガラスで覆うのが普通である。
板ガラスに装着した透明表示器で表示を行うだけなら、２枚の板ガラスのどちらに装着しても、またどの面に装着してもよい。しかし、一番外側、すなわち遊技者に対面する面に装着すると、遊技者が触ったりして汚れたり壊されるおそれがある。
【００１５】
したがって、請求項５記載のように、前記透明表示器は、前記遊技盤の前面に配される２枚の板ガラスの間に配置されるのが望ましい。
なお、遊技盤に対面する面に透明表示器を装着した場合は遊技球が衝突する可能性があるが、これに対する対策をとれば、その位置に装着することも可能である。
【００１６】
請求項６記載の弾球遊技機は、請求項１ないし５のいずれか１項に記載の弾球遊技機において、前記透明表示器は透明ＥＬディスプレイであることを特徴とする。
透明ＥＬディスプレイは、ガラス基板上に電極及び発光層を積層した構造であり、通常はガラス基板と１枚のガラスとで電極及び発光層をサンドイッチ状に挟んだ構造とされる。すなわち、弾球遊技機の板ガラスを、このもう１枚のガラスとすればよいので、弾球遊技機の板ガラスに装着するのに好適である。また、自発光するのでバックライトは必要なく、透明性にも優れているので、これらの点からも弾球遊技機の板ガラスに装着するのに適している。
【００１７】
【発明の実施の形態】
次に、本発明を具体化したいくつかの実施例により発明の実施の形態を説明する。
【００１８】
【実施例１】
図１に示すのは、弾球遊技機の一種であるパチンコ機の構成中、本発明に関わりが深い部分の断面概要図である。なお、図示以外の部分は公知技術に従っているので、図示と説明を省略する。
【００１９】
遊技盤０１には障害釘０２や入賞装置、風車など（いずれも図示略）が装着されており、その前面側（遊技者側）にはガラス枠０５に保持された２枚の板ガラス０４が配されている。ガラス枠０５は図示しない前面枠に軸支されていて扉状に開閉できるが、図１はガラス枠０５を閉じた状態を示している。この状態では、遊技盤０１と遊技盤０１側の板ガラス０４との間に、遊技領域となって遊技球３を流下させる空間が確保されている。
【００２０】
２枚の板ガラス０４の内、遊技盤０１側の板ガラス０４の表側の面には、ＥＬディスプレイ１０（透明表示器に該当）、ＥＬディスプレイ１０のための配線電極２０、板ガラス０４の透過率を調整するためのダミー電極２１、配線電極２０とＥＬディスプレイ１０の制御回路（図示略）とを結ぶためのＦＰＣ２２が装着されている。配線電極２０及びダミー電極２１は、ともにＩＴＯの薄膜で形成されており、ほぼ透明である。
【００２１】
ＥＬディスプレイ１０は板ガラス０４に接着されているが、その接着部分の詳細は図２に示すとおりである。
ＥＬディスプレイ１０は、公知のものと同様にガラス１１の片面（板ガラス０４側になる面）に第１電極１２、発光層１３、第２電極１６を積層形成した構造で、第１電極１２と第２電極１６との間に電圧が印加されると、それらの交点に対応する部分の発光層１３（ＥＬセル）が発光する。この発光位置を制御することにより、文字や図形などを表示できる。また、第１電極１２及び第２電極１６はＩＴＯの薄膜でほぼ透明であり、例えば無機ＥＬ材で形成された発光層１３も薄膜でほぼ透明であるから、ＥＬディスプレイ１０としてもほぼ透明である。
【００２２】
ＥＬディスプレイ１０は透明な接着剤１５により板ガラス０４に接着されているが、第１電極１２及び第２電極１６と対応する配線電極２０とは、接着剤１５に混入された導電粒子（樹脂粒子にＡｕメッキを施した物、例えば積水化学製の商品名ミクロパールＡＵ）の中継電極１８によって電気的な導通が確保されている。このような接着構造にするには、中継電極１８となる部分を先に塗着し、次に中継電極１８部分を避けて接着剤１５塗着して、その後にＥＬディスプレイ１０と板ガラス０４とを接着すればよい。
【００２３】
なお、ダミー電極２１は、ＥＬディスプレイ１０のＥＬディスプレイ１０の有効表示領域内には達しておらず、第２電極１６とは（第１電極１２とも）導通しない。
図３に示すように、配線電極２０とＦＰＣ２２とはＡＣＦ２３を用いて接続されるが、中継電極１８と同様の導電粒子混入接着剤を使用することもできる。ＦＰＣ２２の他端はコネクタ等により、ＥＬディスプレイ１０の制御回路に接続される。
【００２４】
なお、図示していないが、ダミー電極２１も配線電極２０と同様にＦＰＣ２２に接続されており、ＦＰＣ２２によってグランド端子と接続されている。グランド端子はパチンコ機が設置された遊技店のアース線と結ばれ、ダミー電極２１が接地される。
【００２５】
図４は、ＥＬディスプレイ１０が装着された板ガラス０４の正面図である。この図に示すとおり、ＥＬディスプレイ１０は板ガラス０４の中央部に設置されており、その下側部分に配線電極２０が配され、ＥＬディスプレイ１０（その有効表示領域）及び配線電極２０が設けられた領域を除く部分の全域にダミー電極２１が配設されている。
【００２６】
なお、本実施例の板ガラス０４の上部は遊技領域の上縁部の形状に対応させて円弧状に加工してあるが、直線状（板ガラス０４を長方形）にしても構わない。
本実施例のパチンコ機は、ＥＬディスプレイ１０を板ガラス０４に装着するに当たって、ＥＬディスプレイ１０の片側全面を透明な接着剤１５によって板ガラス０４に接着し、ＥＬディスプレイ１０の第１電極１２及び第２電極１６は、板ガラス０４の表面に配設された透明な配線電極２０と電気的に導通させる構成であるから、ＥＬディスプレイ１０と板ガラス０４とが良好に接着される。
【００２７】
また、ＥＬディスプレイ１０は透明であり接着剤１５も配線電極２０も視認性を妨げないし、板ガラス０４にケーブル等の視認性を妨げる部材を配置しなくてよいので、板ガラス０４（ＥＬディスプレイ１０を含む）を透かして遊技盤０１を見る際の視認性は極めて良好である。
【００２８】
ＥＬディスプレイ１０の第１電極１２及び第２電極１６と配線電極２０との導通は、接着剤１５に混入された導電粒子によって形成された中継電極１８を介して行われるので、板ガラス０４にＥＬディスプレイ１０を接着するだけで、導通を容易に、しかも確実に行える。
【００２９】
板ガラス０４の透過率は、ＥＬディスプレイ１０及び配線電極２０によってわずかながらも低下するが、ＥＬディスプレイ１０の有効表示領域外で配線電極２０が設けられていない部分の全域に、第１電極１２及び第２電極１６とは電気的に導通しない透明なダミー電極２１が配設されていて、この部分の透過率をＥＬディスプレイ１０の有効表示領域及び配線電極２０が設けられている部分と同等にしている。すなわち、ＥＬディスプレイ１０が装着されている板ガラス０４全体の透過率をほぼ均等にしているので、遊技者に違和感を感じさせない。
【００３０】
特に、ＥＬディスプレイ１０とその周囲とで透過率に差ができないので、例えばＥＬディスプレイ１０の輪郭が目立ってしまうおそれはなく、あたかも板ガラス０４自体が表示しているかに見える。
また、導電性のダミー電極２１は接地されて電磁波の侵入を防止するので、電波発信器を用いる不正行為や電磁波ノイズによるパチンコ機の誤作動を防止する効果がある。
【００３１】
ＥＬディスプレイ１０は、遊技盤０１側に配された板ガラス０４の表側の面に装着されているので、遊技球３が衝突する可能性はなく、また遊技者が接触することもないので、汚れたり壊れるおそれはない。
ＥＬディスプレイ１０は透明な接着剤１５で板ガラス０４に接着されていて、板ガラス０４が第１電極１２、発光層１３、第２電極１６の保護材としても機能するので、構造が複雑化しない。また、ＥＬディスプレイ１０は自発光するのでバックライトは必要なく、透明性にも優れているので、これらの点からもパチンコ機の板ガラス０４に装着するのに適している。
【００３２】
ＥＬディスプレイ１０を板ガラス０４に接着する構造なので、ＥＬディスプレイ１０を板ガラス０４よりも小さくでき、ＥＬディスプレイ１０の１マザーガラス当たりの取り数が多くなりコストダウンが可能となる。
例えばＥＬディスプレイ１０とパチンコ機本体とをケーブルで結ぶ場合には、ケーブルによって視認性が損なわれるのを避けるために、ＥＬディスプレイ１０をガラス枠０５の付近に設置しなければならないが、本発明では板ガラス０４の表面に設けた透明な配線電極２０によって、ＥＬディスプレイ１０と本体側とを結ぶので、ＥＬディスプレイ１０の配置場所には事実上制限がなくなり、例えば遊技盤０１の中央部に対応する位置に設置できる。
【００３３】
また、ＥＬディスプレイ１０は透明であるから、背後を通る遊技球を隠したり、背後に設置された入賞装置等を隠すこともない。この点からも、ＥＬディスプレイ１０の配置場所の制約がなくなる。
［配置及び表示例］
一例として図５に示すように遊技盤０１の上部に配置することができる。この例は、例えば第３種パチンコ機（いわゆる権利もの）のように、遊技状態によって狙い場所（狙い目となる入賞装置など）が変化するパチンコ機に本発明を適用した例である。なお、ＥＬディスプレイ１０及び板ガラス０４等の構成は上記実施例と同様である。
【００３４】
第３種パチンコ機では大入賞口及びこれを開放させるための第３種始動口が遊技盤０１の右半部に配置されているのが普通で、特別遊技権利（いわゆる大当たり）を獲得した際には、「右打ち」が必要となる。
本例のパチンコ機においては、右打ちが必要な場合には、図５に示すようにＥＬディスプレイ１０にて右上を表示（例えば矢印で表示）して狙い場所を適切に表示できる。
【００３５】
従来のパチンコ機でも、図６に例示するようにＬＥＤ等の表示器で方向を示すことはできたが、具体的に遊技盤０１上の位置を示すわけではなかった。つまり、右向きの矢印が表示されても、右半部の何処なのかは分からなかった。
しかし、本例のパチンコ機は、上記のように遊技球を打ち込む位置を示すので、遊技者がまごつくことはない。
【００３６】
また、本例のパチンコ機は、例えば権利獲得前の通常遊技状態では図柄始動口に入賞させやすい位置をＥＬディスプレイ１０の矢印で指し示し、図柄が揃った際には権利獲得用の入賞口（いわゆるＶ）に入賞させやすい位置を矢印で指し示す等も可能で、遊技状態に応じたナビゲーションができる。
【００３７】
【実施例２】
この実施例は、ＥＬディスプレイ１０を遊技盤０１に対面する場所に配置した例である。
図７に示すように、ＥＬディスプレイ１０は板ガラス０４の遊技盤０１側の面に取り付けられている。また、配線電極２０、ダミー電極２１、ＦＰＣ２２等も板ガラス０４の同じ側に配設されている。つまり、実施例１の板ガラス０４を表裏反転させた構造である（その他の構成は実施例１と同様）。
【００３８】
このように構成しても実施例１と同様の効果が得られる。
ただし、ＥＬディスプレイ１０が遊技領域に面していて、遊技球がＥＬディスプレイ１０に接触する可能性があるので、遊技球との接触によるＥＬディスプレイ１０（特にガラス１１）の破損を防ぐための対策がとられている。
【００３９】
いくつか例をあげると、ガラス１１の表面と端面の双方または一方に樹脂材料の緩衝部材を被着したり、ガラス１１の端面を接着剤１５で保護したり、ガラス１１の端部に面取り加工または曲面加工を施したりしている。或いは、線膨張係数が板ガラス０４よりも小さいガラス１１を使用して、ＥＬディスプレイ１０の使用時の環境温度よりも例えば高温状態で接着することにより、常温に冷えた際に最終的に線膨張係数の小さいガラス１１側を凸に反らせて圧縮応力をかけることで、ガラス１１を割れにくくしてもよい。いうまでもないが、これらの手法を複合して用いることもできる。
【００４０】
以上、実施例等に従って、本発明の実施の形態について説明したが、本発明はこれらの例に限定されるものではなく、本発明の要旨を逸脱しない範囲でさまざまに実施できることは言うまでもない。
例えば、実施例では弾球遊技機としてパチンコ機を例示したが、他の形式の弾球遊技機（例えばアレンジボール式パチンコ機やじゃん球遊技機）にも適用可能である。
【図面の簡単な説明】
【図１】実施例１のパチンコ機の遊技盤及び板ガラス部分の概要断面図。
【図２】実施例１のＥＬディスプレイの接着構造の説明図。
【図３】実施例１における配線電極とＦＰＣとの接続部分の説明図。
【図４】実施例１のＥＬディスプレイを装着した板ガラスの正面図。
【図５】ＥＬディスプレイの配置と表示例の説明図。
【図６】従来のパチンコ機における表示例の説明図。
【図７】実施例２のパチンコ機の遊技盤及び板ガラス部分の概要断面図。
【符号の説明】
０１    遊技盤
０３    遊技球
０４    板ガラス
０５    ガラス枠
１０    ＥＬディスプレイ
１２    第１電極（取出し電極）
１５    接着剤
１６    第２電極（取出し電極）
１８    中継電極
２０    配線電極
２１    ダミー電極
【図１】
2004236981.tif 000003
【図２】
2004236981.tif 000004
【図３】
2004236981.tif 000005
【図４】
2004236981.tif 000006
【図５】
2004236981.tif 000007
【図６】
2004236981.tif 000008
【図７】
2004236981.tif 000009